(57)【要約】【課題】  ロール紙へ印刷されるクレジットカード利用明細を印字するプリンタ内蔵型の精算機や自動販売機を屋外へ設置する場合であっても、プリント紙が取り出せない事態の発生を抑制する。【解決手段】  プリント紙(20)を保持する紙保持空間(10)の手前側を開閉する開閉扉(30)は、紙保持空間(10)へ向かって押し開きが可能に扉軸部(31)によって軸支持される。紙保持空間(10)においては、扉軸部(31)と反対側からプリントを終えて排出される排出口(40)を備え、その排出口(40)から排出されるプリント紙(20)は、前記の扉軸部(31)の側を凸とするように湾曲する向きへ排出される。開閉扉(30)におけるプリント紙(20)の側には、開閉扉(30)を紙保持空間(10)の側へ回動させた場合にプリント紙(20)を扉軸部(31)と反対側へ向かって押し付ける紙抑制片(32)を備える。【選択図】  図２
2019219958.tif 000002
【特許請求の範囲】
【請求項１】
精算機に組み込まれるプリンタによって情報を印刷されたロール紙であるプリント紙を保持する紙保持空間の手前側を開閉する開閉扉であって、
前記の紙保持空間へ向かって押し開きが可能であるように扉軸部によって軸支持されており、
前記の紙保持空間においては、印刷を終えたプリント紙を前記の扉軸部と反対側から排出される排出口を備えるとともに、
その排出口から排出されるプリント紙は、前記の扉軸部の側を凸とするように湾曲する向きへ排出されるようにしており、
前記の開閉扉におけるプリント紙の側には、開閉扉を紙保持空間の側へ回動させた場合にプリント紙を扉軸部と反対側へ向かって押し付ける紙抑制片を備え備えた開閉扉。
【請求項２】
前記の紙収納空間の上部には、コイン排出口を備えており、
前記の紙抑制片は、前記のコイン排出口から排出されるコインが所定の位置へ移動することを妨げない形状をなしている
こととした請求項１に記載の開閉扉。
【請求項３】
前記の紙抑制片は、前記の扉軸部の軸方向に複数備えることした請求項１または請求項２のいずれかに記載の開閉扉。
【請求項４】
前記の扉軸部の軸方向が水平である場合において、
前記の開閉扉は、前記の扉軸部と平行な別の軸と、
前記の別の軸を回動軸として自重にて回動可能な板状の前垂れとを備え、
前記の紙抑制片は、前記の前垂れへ備えた請求項１から請求項３のいずれかに記載の開閉扉。
【請求項５】
精算機に組み込まれるプリンタによって情報を印刷されたロール紙であるプリント紙を保持する紙保持空間を形成する箱体と、
その箱体が形成する前記の紙保持空間の手前側を開閉する開閉扉と、を備えたプリント紙排出機構であって、
前記の開閉扉は、前記の紙保持空間へ向かって押し開きが可能であるように扉軸部によって軸支持されており、
前記の紙保持空間においては、印刷を終えたプリント紙を前記の扉軸部と反対側から排出される排出口を備えるとともに、
その排出口から排出されるプリント紙は、前記の扉軸部側を凸とするように湾曲する向きへ排出されるようにしており、
前記の開閉扉におけるプリント紙の側には、開閉扉を紙保持空間の側へ回動させた場合にプリント紙を扉軸部と反対側へ向かって押し付ける紙抑制片を備えることとしたプリント紙排出機構。
【請求項６】
前記の紙収納空間の上部には、コイン排出口を備えており、
前記の紙抑制片は、前記のコイン排出口から排出されるコインが所定の位置へ移動することを妨げない形状をなしている
こととした請求項５に記載のプリント紙排出機構。
【請求項７】
前記の紙抑制片は、前記の扉軸部の軸方向に複数備えることした請求項５または請求項６のいずれかに記載の  前記の紙抑制片は、前記の扉軸部の軸方向に複数備えることした請求項１または請求項２のいずれかに記載のプリント紙排出機構。
【請求項８】
前記の扉軸部の軸方向が水平である場合において、
前記の開閉扉は、前記の扉軸部と平行な別の軸と、
前記の別の軸を回動軸として自重にて回動可能な板状の前垂れとを備え、
前記の紙抑制片は、前記の前垂れへ備えた請求項１から請求項３のいずれかに記載のプリント紙排出機構
【請求項９】
請求項５から請求項８のいずれかに記載のプリント紙排出機構を備えた精算機。
【発明の詳細な説明】
【技術分野】
【０００１】
本発明は、料金精算機や自動販売機において採用される領収書などを印刷する印刷物発行の技術に関する。
【背景技術】
【０００２】
商品販売やサービス提供の無人化、省力化のために料金精算機や自動販売機が多用されている。そうした料金精算機や自動販売機においては、領収書を発行したり、クレジットカード決済の場合における利用明細書を発行したりする印刷物発行装置が内蔵されているものがある。
【０００３】
特許文献１には、取付けスペースを小さくすることができるとともに、レシートの取出しを容易に行うことができる自動販売機が開示されている。すなわち、レシート発行機やレシート受け部を自動販売機内に取付けることができないという自動販売機に対応させた技術である。
【０００４】
特許文献２には、既存の自動販売機に印刷物発行装置を簡単に追加装備することができるようにした技術が開示されている。より具体的には、自動販売機のメーカがオプション品として用意したレシートなどの各種印刷物を発行する装置について、ユーザの要請に応じて既存の自動販売機にも何らの改造を加えることなく簡単に後付けして使用，操作できるようにした印刷物発行装置が開示されている。
【０００５】
特許文献３には、レシート、クーポン券などを発行する機能を自動販売機へ付加する際、容易に電気的接続が可能なクーポン券発行装置に関する技術が開示されている。
【０００６】
料金精算機や自動販売機において、紙媒体へ印刷されるクーポン券、クレジットカード利用明細、領収書などは、ロール紙を用いることが一般的である。すなわち、円筒形または円柱形の芯材（ロール芯材）へ帯状の紙を巻き付けておき、巻き付けられた紙をロール芯材から必要なだけ引き出して印刷し、料金精算機や自動販売機のユーザに向かって排出させる機構を、料金精算機や自動販売機へ備えている。
【０００７】
なお、引用文献２の図３，４、５などに開示されたような構造では、屋外に設置された料金精算機や自動販売機の場合、印刷された紙媒体が雨に濡れてしまうおそれがある。そうした事態を防ぐため、屋外に設置された料金精算機や自動販売機からユーザに向かって紙媒体を排出させる場合、印刷された紙媒体が雨に濡れないようにする必要がある。具体的には、紙媒体の排出部分は、ユーザに向かった面を開放した内部空間と、その内部空間を前垂れ式の開閉扉（フラッパー）で覆った構造を備えている（図１参照）。そして、その内部空間へ印字済みの紙媒体（プリント紙）を押し出して保持する紙保持空間とし、フラッパーを押し開けるユーザへプリント紙を提供する。
【先行技術文献】
【特許文献】
【０００８】
【特許文献１】特開２００１−２７３５４８号公報
【特許文献２】特開２００８−１７１０６４号公報
【特許文献３】特許第５８７７５６１号公報
【発明の概要】
【発明が解決しようとする課題】
【０００９】
ロール紙は、印刷される直前までロール芯材へ巻き付けられているので、丸くなる癖が付いている。そのため、内部空間にて印字済みの紙媒体（プリント紙）も丸まってしまうことが多い。
加えて、印字済みの領収書などを受け取ろうとするユーザが開閉扉を開けようとすると、丸まったプリント紙を押し込んでしまうことがある。この場合、プリント紙をユーザが取り出すのが困難となってしまう事態となってしまうことがある。
【００１０】
本願発明が解決しようとする課題は、ロール紙へ印刷されるクーポン券、クレジットカード利用明細、領収書などを印字するプリンタ内蔵型の精算機や自動販売機を屋外へ設置する場合であっても、ユーザによるプリント紙の取り出し時に取り出せない事態の発生を抑制できる技術を提供することにある。
【課題を解決するための手段】
【００１１】
（第一の発明）
本願における第一の発明は、精算機(50)に組み込まれるプリンタによって情報を印刷されたロール紙であるプリント紙(20)を保持する紙保持空間(10)の手前側を開閉する開閉扉(30)に係る。
この開閉扉(30)は、前記の紙保持空間(10)へ向かって押し開きが可能であるように扉軸部(31)によって軸支持されており、
前記の紙保持空間(10)においては、印刷を終えたプリント紙(20)を前記の扉軸部(31)と反対側から排出される排出口(レシート排出口40)を備えるとともに、
その排出口(40)から排出されるプリント紙(20)は、前記の扉軸部(31)の側を凸とするように湾曲する向きへ排出されるようにしており、
前記の開閉扉(30)におけるプリント紙(20)の側には、開閉扉(30)を紙保持空間(10)の側へ回動させた場合にプリント紙(20)を扉軸部(31)と反対側へ向かって押し付ける紙抑制片(32)を備える（図２参照）。
【００１２】
（用語説明）
「精算機(50)」は、サービス対価の支払い精算を無人で完結するための精算機、無人で物販をする自動販売機の両方を含む。一方、「精算機用リーダモジュール」とは、精算機用リーダモジュールを構成する各部品を組み立てられて形成され、精算機(30)のための筐体へ組み込まれることで精算機(30)となるモジュールである。
この精算機(30)を使用する人をユーザとし、そのユーザに近い側を「手前側」としている。
【００１３】
「扉軸部(31)」は、その軸方向を水平とすることが一般的であるが、本願発明は水平方向として積極的に限定するものではない。たとえば、垂直方向であっても、本願発明に含む趣旨として、軸方向の限定はしていない。
「紙抑制片(32)」は、プリント紙(20)と接触した場合に滑りやすい材質または表面処理が施されていることが望ましい。
【００１４】
（作用）
印刷を終えたプリント紙(20)は、扉軸部(31)の側を凸とするように湾曲する向きへ排出口(レシート排出口40)から排出され、紙保持空間(10)にて保持される。精算機(50)が屋外に設置されていたとしても、開閉扉(30)が存在するので、プリント紙(20)が雨に濡れるおそれは小さい（図２（ａ）参照）。
【００１５】
精算機(50)を使用したユーザがプリント紙(20)を取り出そうとする場合、指で開閉扉(30)を紙保持空間(10)側へ押す。すると開閉扉(30)は、扉軸部(31)を中心として回動する。回動する際に、プリント紙(20)を扉軸部(31)と反対側へ向かって紙抑制片(32)が押し付ける。そのため、プリント紙(20)が紙保持空間(10)の奥へ押し込まれるような事態（図１（ｂ）参照）とはならず、プリント紙(20)の先端側は、紙保時空間(10)におけるユーザ側へとどまる（図２（ｂ）参照）。その結果、ユーザは、プリント紙(20)を取り出しやすい。
【００１６】
（第一の発明のバリエーション１）
第一の発明は、以下のように形成してもよい。
すなわち、前記の紙収納空間(10)の上部には、コイン排出口(50)を備えており、
前記の紙抑制片(32)は、前記のコイン排出口(50)から排出されるコインが所定の位置へ移動することを妨げない形状とするのである。
【００１７】
ここで、コイン排出口(50)とは、精算機や自動販売機において釣り銭としてのコイン（硬貨）、精算機や自動販売機では使用不能であるコイン（硬貨）を排出するための口である。
コイン排出口(50)を紙収納空間(10)の上部に備えることで、本発明に係るモジュールを組み込んだ精算機や自動販売機は、プリント紙の排出口(レシート排出口40)と釣り銭受け取り口とを兼用とすることができる。
【００１８】
（第一の発明のバリエーション２）
第一の発明は、前記の紙抑制片(32)につき、前記の扉軸部(31)の軸方向に複数備えることとしてもよい。
たとえば、３枚（図３（ａ），（ｂ）参照）としたり、２枚（図８（ａ））としたりする。
【００１９】
（作用）
紙抑制片(32)の厚み寸法が大きいモノを単数で用意する場合に比べて、開閉扉(30)を軽量に提供できる。
コイン排出口(50)が紙収納空間(10)の上部に備えられている場合、扉軸部(31)の存在がコイン詰まりの原因となりにくい。
【００２０】
（第一の発明のバリエーション３）
第一の発明は、以下のように形成してもよい。
すなわち、前記の扉軸部(31)の軸方向が水平である場合において、
前記の開閉扉(30)は、前記の扉軸部(31)と平行な別の軸(垂れ軸30B)と、
前記の別の軸(30B)を回動軸として自重にて回動可能な板状の前垂れ(30A)とを備え、
前記の紙抑制片(32)は、前記の前垂れ(30A)へ備えることとしてもよい（図９参照）。
【００２１】
（作用）
ユーザが開閉扉(30)を指で押すと、開閉扉(30)は回動するものの、垂れ軸(30B)を中心として前垂れ(30A)は相対的に逆方向へ回動することで、実際には前垂れ(30A)は回動せず、垂れ下がったままとなる（図９（ｂ）参照）。  開閉扉(30)が回動しても前垂れ(30A)および紙抑制片(32)がプリント紙(20)を抑えるので、プリント紙(20)が紙収納空間(10)の奥へ押し込まれる事態は起きにくい。
なお、前垂れ(30A)および垂れ軸(30B)を備えた構成とする場合、紙抑制片(32)を小さくすることができる。
【００２２】
（第二の発明）
第二の発明は、精算機(50)に組み込まれるプリンタによって情報を印刷されたロール紙であるプリント紙(20)を保持する紙保持空間(10)を形成する 箱体と、
その箱体が形成する前記の紙保持空間(10)の手前側を開閉する開閉扉(30)と、を備えたプリント紙排出機構に係る。
前記の開閉扉(30)は、前記の紙保持空間(10)へ向かって押し開きが可能であるように扉軸部(31)によって軸支持されており、
前記の紙保持空間(10)においては、印刷を終えたプリント紙(20)を前記の扉軸部(31)と反対側から排出される排出口(レシート排出口40)を備えるとともに、
その排出口(40)から排出されるプリント紙(20)は、前記の扉軸部(31)の側を凸とするように湾曲する向きへ排出されるようにしており、
前記の開閉扉(30)におけるプリント紙(20)の側には、開閉扉(30)を紙保持空間(10)の側へ回動させた場合にプリント紙(20)を扉軸部(31)と反対側へ向かって押し付ける紙抑制片(32)を備えることとしたプリント紙排出機構である。
【００２３】
（第二の発明のバリエーション１）
第二の発明に係るプリント紙排出機構において、以下のように形成してもよい。
すなわち、前記の紙収納空間(10)の上部には、コイン排出口(50)を備えており、
前記の紙抑制片(32)は、前記のコイン排出口(50)から排出されるコインが所定の位置へ移動することを妨げない形状とするのである。
【００２４】
（第二の発明のバリエーション２）
第二の発明は、以下のようにしてもよい。
すなわち、前記の紙抑制片(32)につき、前記の扉軸部(31)の軸方向に複数備えることとしてもよい。
【００２５】
（第二の発明のバリエーション３）
第二の発明は、以下のように形成してもよい。
すなわち、前記の扉軸部(31)の軸方向が水平である場合において、  前記の開閉扉(30)は、前記の扉軸部(31)と平行な別の軸(垂れ軸30B)と、  前記の別の軸(30B)を回動軸として自重にて回動可能な板状の前垂れ(30A)とを備え、
前記の紙抑制片(32)は、前記の前垂れ(30A)へ備えることとしてもよい（図９参照）。
【００２６】
（第三の発明）
第三の発明は、第二の発明に係るプリント紙排出機構を備えた精算機に係る。
ここにいう「精算機」もまた、自動販売機を含む。
【発明の効果】
【００２７】
第一の発明によれば、ロール紙へ印刷されるクーポン券、クレジットカード利用明細、領収書などを印字するプリンタ内蔵型の精算機や自動販売機を屋外へ設置する場合であっても、ユーザによるプリント紙の取り出し時に取り出せない事態の発生を抑制できる開閉扉を提供することができた。
また、第二の発明によれば、ロール紙へ印刷されるクーポン券、クレジットカード利用明細、領収書などを印字するプリンタ内蔵型の精算機や自動販売機を屋外へ設置する場合であっても、ユーザによるプリント紙の取り出し時に取り出せない事態の発生を抑制できるプリント紙排出機構を提供することができた。
また、第二の発明によれば、ロール紙へ印刷されるクーポン券、クレジットカード利用明細、領収書などを印字するプリンタ内蔵型の精算機や自動販売機を屋外へ設置する場合であっても、ユーザによるプリント紙の取り出し時に取り出せない事態の発生を抑制できる精算機を提供することができた。
【図面の簡単な説明】
【００２８】
【図１】従来技術における精算機のプリンタ周辺の構成を示す図である。
【図２】本発明の第一の実施形態を示す概念図である。
【図３】開閉扉の三面図である。（ａ）は正面図、（ｂ）は平面図、（ｃ）は側面図である。
【図４】プリント紙排出機構の開閉扉がどのように動くかを示すため、開閉扉が閉塞した状態を示す側断面図である。
【図５】プリント紙排出機構の開閉扉がどのように動くかを示すため、開閉扉が半開した状態を示す側断面図である。
【図６】プリント紙排出機構の開閉扉がどのように動くかを示すため、開閉扉が全開した状態を示す側断面図である。
【図７】開閉扉について第二および第三の実施形態を示す側面図である。
【図８】開閉扉について第四および第五の実施形態を示す斜視図である。
【図９】開閉扉について第六の実施形態を示す側面図である。
【発明を実施するための形態】
【００２９】
（全体の説明）
以下、本発明を実施の形態及び図面に基づいて、更に詳しく説明する。ここで使用する図面は、図１から図９である。図１は、従来技術であるが、比較のために参照することがある。
ここで、精算機とは、サービス対価の支払い精算を無人で完結するための精算機、無人で物販をする自動販売機の両方を含む。
【００３０】
（図２）
図２は、第一の実施形態に係るプリント紙排出機構であり、後述する精算機に組み込まれる。
このえたプリント紙排出機構は、精算機に組み込まれるプリンタによって情報を印刷されたロール紙であるプリント紙２０（レシートなど）を保持する紙保持空間１０を形成する箱体と、  その箱体が形成する前記の紙保持空間１０の手前側を開閉する開閉扉３０（フラッパー）と、を備える。
【００３１】
開閉扉３０は、紙保持空間１０へ向かって押し開きが可能であるように、上端部分を水平に貫く扉軸部３１によって軸支持されている。図示は省略するが、扉軸部３１にはスプリングが内蔵されている。そのスプリングは、開閉扉３０が紙保持空間１０へ向かって押し開いた場合に、垂直に垂れ下がる位置へ戻すような弾性力が働くように組み込まれている。
【００３２】
紙保持空間１０においては、図示を省略した印刷を終えたプリント紙２０を扉軸部３１と反対側から排出されるレシート排出口４０を備えている。そのレシート排出口４０から排出されるプリント紙２０は、扉軸部３１の側を凸とするように湾曲する向きへ排出される（図２（ａ））。
【００３３】
開閉扉３０におけるプリント紙２０の側には、開閉扉３０を紙保持空間１０の側へ回動させた場合にプリント紙２０を扉軸部３１と反対側へ向かって押し付ける紙抑制片３２を備えている。紙抑制片３２は側面から見た場合に三角形をしている。単純な形状であるものの、プリント紙２０を扉軸部３１と反対側へ向かって押し付ける機能を果たすには十分だからである。
【００３４】
紙抑制片３２は、プリント紙２０と接触した場合に滑りやすい材質を採用している。
この紙抑制片３２が存在することで、プリント紙２０は紙保持空間１０における下方側へ押し付けられ、精算機を使うユーザがプリント紙２０を取り出す際に、プリント紙２０を紙保持空間１０の奥側へ押し込むことはない（図２（ｂ））。
【００３５】
図１（ｂ）では、紙抑制片３２がないために、プリント紙２０を紙保持空間１０の奥側へ押し込でしまう状態を示しており、この場合には、ユーザがプリント紙２０を取り出しにくい。
【００３６】
紙保持空間１０の上部には、コイン排出口５０が備えられている。このコイン排出口５０は、算機や自動販売機において釣り銭としてのコイン（硬貨）、精算機や自動販売機では使用不能であるコイン（硬貨）を排出するための口である。
コイン排出口５０を紙収納空間１０の上部に備えることで、本発明に係るモジュールを組み込んだ精算機や自動販売機は、レシート排出口４０と釣り銭受け取り口とを兼用とすることができる。
【００３７】
（図３）
図３では、図１に示した開閉扉３０の三面図を示している。図３（ａ）は正面図、図３（ｂ）は平面図、図３（ｃ）は側面図である。
この実施形態においては、紙抑制片３２を３枚備えた開閉扉３０としている。３枚の紙抑制片３２の間隔は、コイン排出口５０から排出される硬貨の厚さよりも十分に広い。
【００３８】
（図４、図５、図６）
図４から図６は、精算機６０において、前述してきたプリント紙排出機構の開閉扉３０および紙抑制片３２（リブ付きフラッパー）がどのように動くかを示している。
開閉扉３０（フラッパー）の閉塞時には、紙収納空間１０を閉塞して雨水の浸入を防ぎ、開閉扉３０（フラッパー）が全開した際には、紙抑制片３２がコイン排出口へ到達する。
【００３９】
（図７）
図７に基づいて、開閉扉３０における紙抑制片のバリエーションについて説明する。
図７（ａ）に示すのは、紙抑制片３２Ａを側面から見た場合に四辺形となるような形状を採用している。
図７（ｂ）に示すのは、紙抑制片３２Ｂを側面から見た場合に半円形となるような形状を採用している。
【００４０】
（図８）
図８に基づいて、開閉扉３０における紙抑制片のバリエーションについて説明する。
図８（ａ）に示すのは、開閉扉３０における紙抑制片３２の形状は、図２，３にて示した実施形態と同じであるが、枚数を２枚としている。
【００４１】
図８（ｂ）に示すのは、紙抑制片３２Ｃの形状を円筒形としている。ユーザが開閉扉３０を勢いよく全開した場合に、コイン排出口付近へ衝突させても破損しにくい、といった特徴がある。
【００４２】
（図９）
図９は、開閉扉３０の全体形状を異ならせたバリエーションを示している。
ここに示す開閉扉３０は、扉軸部３１と平行な別の軸である垂れ軸３０Ｂを備え、この垂れ軸３０Ｂを回動軸として自重にて回動可能な板状の前垂れ３０Ａとを備えているのである。
そして、紙抑制片３２Ｄは、図２に示した実施形態よりも小型のものを、前垂れ３０Ａへ備えている。
【００４３】
ユーザが開閉扉３０の中央付近を指で押すと、開閉扉３０は回動するものの、垂れ軸３０Ｂを中心として前垂れ３０Ａは相対的に逆方向へ回動することで、実際には前垂れ３０Ａは回動せず、垂れ下がったままとなる（図９（ｂ））。
開閉扉３０が回動しても前垂れ３０Ａおよび紙抑制片３２Ｄがプリント紙２０を抑えるので、プリント紙２０が紙収納空間１０の奥へ押し込まれる事態は起きにくい。
【００４４】
前述してきたプリント紙排出機構を採用した精算機によれば、ロール紙へ印刷されるクーポン券、クレジットカード利用明細、領収書などを印字するプリンタ内蔵型の精算機や自動販売機を屋外へ設置する場合であっても、ユーザがプリント紙の取り出そうとして取り出せなくなってしまう事態の発生を抑制できる。
【産業上の利用可能性】
【００４５】
本発明は、精算機（特に駐車料金精算装置であるが、自動販売機をも含む）を製造する製造業、精算機に用いるソフトウェアの開発業、精算機の修理やメンテナンスを行うサービス業、料金の精算機をレンタルするレンタル業、料金の精算機を代行する代行サービス業などにおいて、利用可能性を有する。
【符号の説明】
【００４６】
１０  ；紙収納空間
２０  ；プリント紙（レシート）
３０  ；開閉扉（フラッパー）      ３０Ａ；前垂れ
３０Ｂ；垂れ軸
３１  ；扉軸部
３２  ；紙抑制片（リブ）          ３２Ａ；紙抑制片（四辺形型）
３２Ｂ；紙抑制片（半円板型）      ３２Ｃ；紙抑制片（円筒型）
３２Ｄ；紙抑制片（小型）
４０  ；レシート排出口
４１  ；バーコード読み取り機
５０  ；コイン排出口
６０  ；精算機
【図１】
2019219958.tif 000003
【図２】
2019219958.tif 000004
【図３】
2019219958.tif 000005
【図４】
2019219958.tif 000006
【図５】
2019219958.tif 000007
【図６】
2019219958.tif 000008
【図７】
2019219958.tif 000009
【図８】
2019219958.tif 000010
【図９】
2019219958.tif 000011